(57)【要約】【課題】  動画を販売するサービスにおいて、販促用の写真を好適に選択する。【解決手段】  本発明に係る画像選択装置３は、アトクラションを体験中の１又は複数の来場者（被写体）を撮影した動画から切り出された複数のタイミングにおける静止画を取得し、静止画ごとに、当該静止画に映る被写体の笑顔度を評価し、笑顔度が最も高い静止画を販促用の画像として選択する。選択された静止画はプリンタ４により印刷され、アトクラションを体験した来場者に無償提供される。【選択図】図７
2019068173.tif 000002
【特許請求の範囲】
【請求項１】
１又は複数の人物を撮影した動画から切り出された複数のタイミングにおける静止画を取得する取得手段と、
前記静止画ごとに、当該静止画に映る前記人物を所定の基準で評価する評価手段と、
評価結果に基づいて、前記動画の販促用として提供または提示する前記静止画を選択する選択手段と、を備えることを特徴とする画像選択装置。
【請求項２】
前記評価手段は、前記人物の笑顔度を評価することを特徴とする請求項１に記載の画像選択装置。
【請求項３】
前記評価手段は、前記人物の目の開閉を評価することを特徴とする請求項１に記載の画像選択装置。
【請求項４】
前記評価手段は、前記人物のポーズを評価することを特徴とする請求項１に記載の画像選択装置。
【請求項５】
１又は複数の人物を撮影した動画から切り出された複数のタイミングにおける静止画を取得する取得手段と、
複数の前記静止画を表示し、前記動画の販促用として提供または提示する前記静止画の選択を受け付ける選択手段と、を備えることを特徴とする画像選択装置。
【請求項６】
請求項１から請求項５のいずれかに記載の画像選択装置により選択された静止画を出力する出力手段、を備えることを特徴とする画像出力装置。
【請求項７】
前記出力手段は、選択された前記静止画の画像サイズを所定のサイズまで小さくして出力することを特徴とする請求項６に記載の画像出力装置。
【請求項８】
前記出力手段は、更に、前記動画の提供を受けるために必要となる情報を出力することを特徴とする請求項６または請求項７に記載の画像出力装置。
【請求項９】
前記出力手段は、所定の用紙に印刷して出力することを特徴とする請求項６から請求項８のいずれかに記載の画像出力装置。
【請求項１０】
前記用紙は、２つに切り離し可能な用紙であり、
前記出力手段は、切り離される一方側に前記静止画を印刷し、他方側に動画の提供を受けるために必要となる情報を印刷することを特徴とする請求項９に記載の画像出力装置。
【請求項１１】
前記出力手段は、前記一方側と前記他方側の用紙のそれぞれに、同一の識別情報を印刷することを特徴とする請求項１０に記載の画像出力装置。
【請求項１２】
１又は複数の人物を撮影した動画から切り出された複数のタイミングにおける静止画を取得する取得ステップと、
前記静止画ごとに、当該静止画に映る前記人物を所定の基準で評価する評価ステップと、
評価結果に基づいて、前記動画の販促用として提供または提示する前記静止画を選択する選択ステップと、を含むことを特徴とする画像選択方法。
【請求項１３】
１又は複数の人物を撮影した動画から切り出された複数のタイミングにおける静止画を取得する取得ステップと、
複数の前記静止画を表示し、前記動画の販促用として提供または提示する前記静止画の選択を受け付ける選択ステップと、を含むことを特徴とする画像選択方法。
【請求項１４】
請求項１２または請求項１３に記載の画像選択方法により選択された静止画を出力する出力ステップ、を含むことを特徴とする画像出力方法。
【請求項１５】
撮影装置と画像選択装置と画像出力装置とを備えた画像出力システムであって、
前記撮影装置は、
１又は複数の人物を動画で撮影する動画撮影手段と、を備え、
前記画像選択装置は、
前記動画から切り出された複数のタイミングにおける静止画を取得する取得手段と、
前記静止画ごとに、当該静止画に映る前記人物を所定の基準で評価する評価手段と、
評価結果に基づいて、前記動画の販促用として提供または提示する前記静止画を選択する選択手段と、を備え、
前記画像出力装置は、
選択された前記静止画を出力する出力手段と、を備えることを特徴とする画像出力システム。
【請求項１６】
撮影装置と画像選択装置と画像出力装置とを備えた画像出力システムであって、
前記撮影装置は、
１又は複数の人物を動画で撮影する動画撮影手段と、を備え、
前記画像選択装置は、
前記動画から切り出された複数のタイミングにおける静止画を取得する取得手段と、
複数の前記静止画を表示し、前記動画の販促用として提供または提示する前記静止画の選択を受け付ける選択手段と、を備え、
前記画像出力装置は、
選択された前記静止画を出力する出力手段と、を備えることを特徴とする画像出力システム。
【発明の詳細な説明】
【技術分野】
【０００１】
本発明は、撮影された動画を販売するサービスにおいて、動画の販売を促進するための技術に関する。
【背景技術】
【０００２】
遊園地などの観光地を訪れた来場者を撮影して記念品として写真や画像データを販売するサービスがある（例えば引用文献１）。この際、来場者の購買意欲を高めるため、販促用として販売する写真を来場者に提示したり、販売する写真の縮小写真を来場者に無償で提供することがある。
【先行技術文献】
【特許文献】
【０００３】
【特許文献１】特開２００４−２２８６３７号公報
【発明の概要】
【発明が解決しようとする課題】
【０００４】
ところで、今後は、写真や画像データだけでなく、音声データを含む動画データを撮影して販売するサービスも期待されている。このような動画販売を目的としたサービスにおいても、動画の販売に繋がるような販促用の写真を無償提供または提示することが有効であると考えられる。例えば、動画販売の場合には、販売する動画の任意のタイミングの静止画を切り出して販促用の写真とすることができる。
【０００５】
しかしながら、動画の場合、単なる写真撮影よりも動きがあるため撮影中に被写体の状態が刻々と変化する。このため、被写体の状態が悪いタイミング（例えば、目を閉じていたり、顔が下を向いていたり、など）の写真を販促用として提供または提示してしまうと、動画の購入意欲が削がれ、動画を購入してもらえない可能性が高くなる。
【０００６】
本発明は、前述した問題点に鑑みてなされたものであり、その目的は、動画を販売するサービスにおいて、販促用の写真を好適に選択することが可能な、画像選択装置等を提供することである。
【課題を解決するための手段】
【０００７】
前述した目的を達成するために第１の発明は、１又は複数の人物を撮影した動画から切り出された複数のタイミングにおける静止画を取得する取得手段と、前記静止画ごとに、当該静止画に映る前記人物を所定の基準で評価する評価手段と、評価結果に基づいて、前記動画の販促用として提供または提示する前記静止画を選択する選択手段と、を備えることを特徴とする画像選択装置である。
【０００８】
第１の発明によれば、撮影した動画から切り出された複数のタイミングにおける静止画ごとに、静止画に映る人物を所定の基準で評価し、評価結果に基づいて販促用の画像を決定する。これにより、撮影された動画を販売するサービスにおいて、動画の販促用の写真（静止画）を好適に選択することが可能となる。
【０００９】
また前記評価手段は、前記人物の笑顔度を評価するようにしてもよい。また、前記人物の目の開閉を評価するようにしてもよい。また、前記人物のポーズを評価するようにしてもよい。このように様々な基準で静止画に映る人物を評価して販促用の画像を選ぶことができる。
【００１０】
第２の発明は、１又は複数の人物を撮影した動画から切り出された複数のタイミングにおける静止画を取得する取得手段と、複数の前記静止画を表示し、前記動画の販促用として提供または提示する前記静止画の選択を受け付ける選択手段と、を備えることを特徴とする画像選択装置である。
【００１１】
第２の発明によれば、撮影した動画から切り出された複数のタイミングにおける静止画ごとに、静止画に映る人物を所定の基準で評価し、評価結果に基づいて販促用の画像を決定する。これにより、撮影された動画を販売するサービスにおいて、動画の販促用の写真（静止画）を好適に選択することが可能となる。
【００１２】
第３の発明は、第１または第２の発明において選択された静止画を出力する出力手段、を備えることを特徴とする画像出力装置である。これにより、動画販促用のサンプル写真を無償で提供または提示することができる。
【００１３】
また前記出力手段は、選択された前記静止画の画像サイズを所定のサイズまで小さくして出力するようにしてもよい。これにより、無償提供用に解像度を落とした画像を出力することができる。
【００１４】
また前記出力手段は、更に、前記動画の提供を受けるために必要となる情報を出力することが望ましい。これにより、動画の購入者に対して、動画のダウンロードサイトのアドレス情報などの動画の提供を受けるために必要となる情報を提供することができる。
【００１５】
また前記出力手段は、所定の用紙に印刷して出力するようにしてもよい。この場合、前記用紙は、２つに切り離し可能な用紙であり、前記出力手段は、切り離される一方側に前記静止画を印刷し、他方側に動画の提供を受けるために必要となる情報を印刷することが望ましい。これにより、用紙から一方側を切り離して無償提供用のサンプル写真として提供し、他方側を動画のダウンロード用チケットとして提供することができる。
【００１６】
また前記出力手段は、前記一方側と前記他方側の用紙のそれぞれに、同一の識別情報を印刷するようにしてもよい。識別情報によって、一方側の用紙（サンプル写真）と他方側の用紙（ダウンロード用チケット）とを照合させることができる。これにより、例えば、チケットの販売スタッフ等が、誤って別のダウンロート用チケットを提供してしまうようなことを防ぐことができる。
【００１７】
第４の発明は、１又は複数の人物を撮影した動画から切り出された複数のタイミングにおける静止画を取得する取得ステップと、前記静止画ごとに、当該静止画に映る前記人物を所定の基準で評価する評価ステップと、評価結果に基づいて、前記動画の販促用として提供または提示する前記静止画を選択する選択ステップと、を含むことを特徴とする画像選択方法である。
【００１８】
第５の発明は、１又は複数の人物を撮影した動画から切り出された複数のタイミングにおける静止画を取得する取得ステップと、複数の前記静止画を表示し、前記動画の販促用として提供または提示する前記静止画の選択を受け付ける選択ステップと、を含むことを特徴とする画像選択方法である。
【００１９】
第６の発明は、第４または第５の発明において選択された静止画を出力する出力ステップ、を備えることを特徴とする画像出力方法である。
【００２０】
第７の発明は、撮影装置と画像選択装置と画像出力装置とを備えた画像出力システムであって、前記撮影装置は、１又は複数の人物を動画で撮影する動画撮影手段と、を備え、前記画像選択装置は、前記動画から切り出された複数のタイミングにおける静止画を取得する取得手段と、前記静止画ごとに、当該静止画に映る前記人物を所定の基準で評価する評価手段と、評価結果に基づいて、前記動画の販促用として提供または提示する前記静止画を選択する選択手段と、を備え、前記画像出力装置は、選択された前記静止画を出力する出力手段と、を備えることを特徴とする画像出力システムである。
【００２１】
第８の発明は、撮影装置と画像選択装置と画像出力装置とを備えた画像出力システムであって、前記撮影装置は、１又は複数の人物を動画で撮影する動画撮影手段と、を備え、前記画像選択装置は、前記動画から切り出された複数のタイミングにおける静止画を取得する取得手段と、複数の前記静止画を表示し、前記動画の販促用として提供または提示する前記静止画の選択を受け付ける選択手段と、を備え、前記画像出力装置は、選択された前記静止画を出力する出力手段と、を備えることを特徴とする画像出力システムである。
【発明の効果】
【００２２】
本発明によれば、撮影された動画を販売するサービスにおいて、販促用の写真を好適に選択することが可能となる。
【図面の簡単な説明】
【００２３】
【図１】動画提供システム１の概要を示す図
【図２】動画撮影の様子を示す図
【図３】画像選択装置３のハードウェア構成の例を示す図
【図４】印刷物８０の例を示す図
【図５】画像データ６０のデータ内容の例を示す図
【図６】ダウンロード情報７０のデータ内容の例を示す図
【図７】撮影処理の流れを示すフローチャート
【図８】画像選択処理の流れを示すフローチャート
【図９】評価された笑顔度の例を示す図
【図１０】プリント処理の流れを示すフローチャート
【図１１】ダウンロード処理の流れを示すフローチャート
【図１２】画像選択装置３Ａのハードウェア構成の例を示す図
【図１３】画像選択処理の流れを示すフローチャート
【図１４】静止画の選択を受け付ける表示部の画面例を示す図
【発明を実施するための形態】
【００２４】
本実施の形態では、遊園地などに設置されたアトクラション（ジェットコースター）を体験した来場者を撮影した動画を販売する動画撮影販売サービスにおいて、本発明を適用した例について説明するが、本発明はこの例に限定されない。本発明は、前述の課題を有する様々な動画撮影販売サービスに適用可能である。
【００２５】
［第１の実施形態］
以下、図面を参照しながら、本発明の第１の実施形態について詳細に説明する。図１は、本発明の動画提供システム１の概要を示す図である。動画提供システム１は、カメラ２、画像選択装置３、プリンタ４、ユーザ端末７、ダウンロードサイト８、ストレージ１００等から構成される。以下、各構成について説明する。
【００２６】
（カメラ２）
カメラ２（撮影装置）は、遊園地などのアトラクション（ジェットコースター）を体験中の１又は複数の来場者（被写体）の様子を動画で撮影する。また、撮影した動画から複数のタイミングにおける静止画を切り出して出力する。撮影した動画のデータ（以下、「動画データ６２」とも表記する）と動画から切り出された静止画のデータ（以下、「静止画データ６３」とも表記する）は、カメラ２と有線または無線接続されたストレージ１００に記憶される（図５参照）。
【００２７】
本実施の形態では、図２に示すように、カメラ２は、ジェットコースターの途中の撮影ポイントに設置され、ジェットコースターを走行する車両９に搭乗した来場者１０の様子を動画（音声を含む）で撮影する。本実施の形態では、ジェットコースターのレール上に車両９の車輪の通過を検知するセンサ２０が設置されており、車両９の車輪がセンサ２０を通過すると、センサ信号がカメラ２に送られる。カメラ２は、センサ信号を受けたタイミングをトリガとして、動画撮影を開始し、所定時間撮影を行う。カメラ２が実行する撮影処理については後述する（図７）。
【００２８】
（画像選択装置３）
画像選択装置３は、ストレージ１００に記憶された複数の静止画データ６３の中から、動画の販促用として提供する静止画データを選択する。選択された静止画データ６３を「代表静止画データ６４」とも表記する。
【００２９】
具体的には、画像選択装置３は、静止画データ６３ごとに、所定の基準で画像内の被写体を評価し、その評価結果が良い画像を選択する。特に本実施の形態では、被写体の笑顔度を評価し、笑顔度が最も高い静止画データ６３を選択する。ただし、どのような基準で被写体を評価するかは、特に限定されるものではなく、動画販売のサービス業者等が任意に定めてよい。画像選択装置３が実行する画像選択処理については後述する（図８）。
【００３０】
図３は、画像選択装置３（コンピュータ）のハードウェア構成の例を示す図である。図に示すように、画像選択装置３は、制御部３１、記憶部３２、通信制御部３３、バス３８等から構成される。
【００３１】
制御部３１は、ＣＰＵ（Central Processing Unit）、ＲＯＭ（Read Only Memory）、ＲＡＭ（Random Access Memory）等によって構成される。ＣＰＵは、記憶部３２、ＲＯＭ、記録媒体等に格納されるプログラムをＲＡＭ上のワークメモリ領域に呼び出して実行し、バス３８を介して接続された各装置を駆動制御し、画像選択装置３が行う後述する処理（画像選択処理、図８参照）を実現する。
【００３２】
記憶部３２は、フラッシュメモリ、ＨＤＤ（Hard Disk Drive）等であり、制御部３１が実行するプログラム、プログラム実行に必要なデータ、ＯＳ（Operating System）等が格納される。プログラムに関しては、ＯＳに相当する制御プログラムや、後述する処理（画像選択処理、図８参照）を画像選択装置３に実行させるためのアプリケーションプログラムが格納されている。これらの各プログラムコードは、制御部３１により必要に応じて読み出されてＲＡＭに移され、ＣＰＵに読み出されて各種の手段として実行される。
【００３３】
通信制御部３３は、通信制御装置、通信ポート等を有し、画像選択装置３とネットワーク間の通信を媒介する通信インタフェースであり、ネットワークを介して、ストレージ１００や他のコンピュータ間との通信制御を行うことが可能である。ネットワークは、有線、無線を問わない。バス３８は、各装置間の制御信号、データ信号等の授受を媒介する経路である。
【００３４】
（プリンタ４）
プリンタ４（画像出力装置）は、例えばアトラクションの出口付近に設置され、画像選択装置３により選択された静止画データ６３（代表静止画データ６４）とダウンロードサイト８へのアドレス情報７１を所定の用紙に印刷して出力する。プリンタ４は、例えば、高解像度カラープリンタであり、昇華型、溶融型等、プリンタの方式は問わない。プリンタ４が実行するプリント処理については後述する（図１０）。
【００３５】
図４は、プリンタ４により出力される印刷物８０の例を示す図である。図に示すように、印刷物８０は、印刷物８０を２つに切り離すことができるミシン目８１を有している。ミシン目８１を境界として左側が、動画販促用として無償提供されるサンプル写真８０Ａである。また、ミシン目８１を境界として右側が動画購入後に提供されるダウンロード用チケット８０Ｂである。
【００３６】
サンプル写真８０Ａには、画像選択装置３により選択された静止画データ（代表静止画データ６４）が画像印刷されており、この画像の下にはパスコード７２が印刷されている。パスコード７２はダウンロードサイト８へアクセスする際に入力する認証コードである。ダウンロード用チケット８０Ｂには、動画のダウンロード手順を説明する文章とともに、ダウンロードサイト８へのアドレス情報７１がＱＲコード（登録商標）の形態で印刷されている。
【００３７】
アトクラションのスタッフ等は、ミシン目８１上にサンプル写真８０Ａとダウンロード用チケット８０Ｂを切り離し、アトクラションを終えた来場者にサンプル写真８０Ａを無償で提供する。
【００３８】
アトラクションを終えた来場者（またはその家族や友人など）がサンプル写真８０を見て、動画の購入を決めた場合には、サンプル写真８０Ａをアトクラションのスタッフ等に提示し、動画の購入代金と引き換えに、ダウンロード用チケット８０Ｂを受け取ることができる。
【００３９】
なお、図４に示すように、サンプル写真８０Ａとダウンロート用チケット８０Ｂの用紙のそれぞれには、サンプル写真８０Ａとダウンロート用チケット８０Ｂとのセットを識別する同一の識別番号８３（「０００４」）が印刷されている。この識別番号８３によって、サンプル写真８０Ａとダウンロート用チケット８０Ｂとを照合させることができるので、アトクラションのスタッフ等が、誤って別のダウンロート用チケットを購入者に提供してしまうようなことを防ぐことができる。
【００４０】
（ユーザ端末７）
ユーザ端末７は、ダウンロード用チケット８０Ｂを購入した購入者が保有するスマートフォンなどの情報端末である。ダウンロード用チケット８０Ｂに印刷されたアドレス情報７１（ＱＲコード（登録商標））をユーザ端末７に読込ませることで、ダウンロードサイト８へアクセスし、撮影された動画をダウンロードして閲覧することができる。動画のダウンロード処理については後述する（図１１）。
【００４１】
（ストレージ１００）
図４は、ストレージ１００に記憶される画像データ６０の内容を示す図である。画像データ６０は、撮影ＩＤ６１と紐づけて、動画データ６２、静止画データ６３、代表静止画データ６４の各画像データを記憶する。
【００４２】
撮影ＩＤ６１は、カメラ２により撮影された動画を一意に識別する識別情報である。動画データ６２は、カメラ２により撮影された動画のデータである。静止画データ６３は、カメラ２により撮影された動画から切り出された複数のタイミングにおける静止画のデータである。代表静止画データ６４は、静止画データ６３の中から画像選択装置３により選択された静止画のデータである。
【００４３】
以上、動画提供システム１の各構成について説明した。
次に、図７〜図１４を参照して、動画提供システム１が実行する各処理について説明する。
【００４４】
（撮影処理）
まず、図７を参照して、アトラクション（ジェットコースター）を体験中の来場者（被写体）の様子を動画で撮影する処理（撮影処理）について説明する。まず、ジェットコースターの車両９に来場者１０が搭乗し、車両９の走行が開始すると、ジェットコースターのレール上に設置されたセンサ２０は車両９の車輪の通過の検知を開始する（ステップＳ１）。
【００４５】
そして、センサ２０が車両９の車輪の通過を検知すると（ステップＳ１；Ｙｅｓ）、センサ信号がカメラ２に送られ、カメラ２は、センサ信号を受けたタイミングをトリガとして、動画の撮影を開始する（ステップＳ２）。
【００４６】
また、動画を撮影している間、カメラ２は、動画の撮影を開始してから所定時間おきに撮影中の動画から静止画を切り出して出力する（ステップＳ３）。これにより、動画から複数のタイミングにおける静止画が出力される。例えば、５秒間の動画を撮影した場合において、１秒間隔で静止画を出力した場合には、５枚の静止画が出力される。
【００４７】
動画の撮影が終了すると（ステップＳ４）、カメラ２は、当該撮影を一意に識別する撮影ＩＤを発行し、撮影ＩＤと撮影した動画と動画から切り出された静止画をストレージ１００に送り、ストレージ１００に保存して撮影処理を終了する（ステップＳ５）。
【００４８】
例えば、図５に示すように、発行した撮影ＩＤ６１（「２０１７０９０１＿００１」）と紐づけて、撮影された動画のデータ（動画データ６２＝「・・・／ｍｏｖｉｅ０１」）と、動画から切り出された３枚の静止画のデータ（静止画データ６３−１＝「・・・／ｐｈｏｔｏ０１」、静止画データ６３−２＝「・・・／ｐｈｏｔｏ０２」、静止画データ６３−３＝「・・・／ｐｈｏｔｏ０３」）がストレージ１００に保存される。
【００４９】
（画像選択処理）
次に、図８、９を参照して、画像選択装置３が動画の販促用として無償提供する静止画を選択する処理（画像選択処理）について説明する。
【００５０】
画像選択装置３は、カメラ２による撮影が終了すると、当該撮影の撮影ＩＤ６１に紐づく全ての静止画データ６３をストレージ１００から取得する（ステップＳ１１）。ここでは、図５のストレージ１００（画像データ６０）から撮影ＩＤ６１「１」に紐づく３枚の静止画データ６３（６３−１、６３−２、６３−３）が取得されたものとする。
【００５１】
続いて、画像選択装置３は、取得した静止画データ６３（６３−１、６３−２、６３−３）ごとに、公知の顔画像認識技術を用いて、画像内に映る各被写体の表情を認識し、笑顔度を評価する（ステップＳ１２）。笑顔度は、画像内の各被写体のレイティング結果から評価可能であり、例えば、各被写体のレイティング点数の平均値を笑顔度として評価する。
【００５２】
図９は、評価された笑顔度の例を示す図である。図の例では、静止画データ６３−１の笑顔度は「５」、静止画データ６３−２の笑顔度は「２０」、静止画データ６３−３の笑顔度は「８０」、のように笑顔度が評価されている。
【００５３】
そして、画像選択装置３は、笑顔度が最も高い静止画データ６３を、動画の販促用に無償提供する画像として選択する（ステップＳ１３）。例えば図９の例では、最も笑顔度が高い静止画データ６３−３が選択される。
【００５４】
画像選択装置３は、選択した静止画データをストレージ１００（画像データ６０）の代表静止画データ６４（図５参照）に記録して処理を終了する。図５の例では、代表静止画データ６４に、ステップＳ１３において選択された静止画データ６３−３のファイル（「・・・／ｐｈｏｔｏ０３」）が記録される。
【００５５】
（プリント処理）
次に、図１０、１１を参照して、プリンタ４が印刷物８０を出力する処理（プリント処理）について説明する。
まず、プリンタ４は、図５のストレージ１００（画像データ６０）を参照し、代表静止画データ６４を取得する（ステップＳ１１）。図５の場合、「・・・／ｐｈｏｔｏ０３」の画像データが取得される。続いて、プリンタ４は、取得した代表静止画データ６４に対し、縮小処理を施して、無償配布用に所定のサイズまで画像サイズを落とす（ステップＳ２２）。
【００５６】
次に、プリンタ４は、代表静止画データ６４とともに印刷物８０に印刷するアドレス情報７１とパスコード７２を生成する（ステップＳ２３）。生成したアドレス情報７１とパスコード７２は、図６のダウンロード情報７０に示すように、撮影ＩＤ６１と紐づけてストレージ１００や他の記憶領域において管理される。そして、プリンタ４は、所定の用紙に、縮小処理が施された代表静止画データ６４とアドレス情報７１とパスコード７２を印刷し、印刷物８０を出力する（ステップＳ２４）。
【００５７】
本実施の形態では、所定の用紙とは、２つに切り離すことが可能なミシン目を有するキャリー用紙であり、プリンタ４は、ミシン目を境界として用紙の一方側に代表静止画データ６４とパスコード７２を印刷し、ミシン目を境界として用紙の他方側にアドレス情報７１をＱＲコード（登録商標）の形態で印刷する。また、プリンタ４は、用紙の一方側と他方側の双方に同一の識別番号８３を印刷する。これにより、図４に示すような印刷物８０が出来上がる。図４に示すように、印刷物８０のうち、ミシン目８１を境界として左側が、無償提供するサンプル写真８０Ａとなり、ミシン目８１を境界として右側が動画購入後に提供されるダウンロード用チケット８０Ｂとなる。サンプル写真８０Ａは、アトラクションを終えた来場者に無償で提供され、ダウンロード用チケット８０Ｂは、購入代金と引き換えに有償で提供される。
【００５８】
なお、ステップＳ２４において印刷する代表静止画データ６４の画像範囲は、被写体が写っている範囲で任意に設定可能である。例えば、代表静止画データ６４の全画像範囲を印刷してもよいし、被写体が写っている画像部分だけを切り出して印刷してもよい（後者の場合、被写体にズームアップしたような写真が得られる）。図４は、代表静止画データ６４の中から被写体がメインに写る画像範囲を切り出して印刷した例を示している。
【００５９】
（ダウンロード処理）
次に、図１２を参照して、ダウンロード用チケット８０Ｂの購入者が保有するユーザ端末７を用いて、ダウンロードサイト８から動画をダウンロードする処理（ダウンロード処理）について説明する。
【００６０】
ここでは、図４のダウンロード用チケット８０Ｂを用いて、図５の撮影ＩＤ６１（「２０１７０９０１＿００１」）に紐づく動画データ６２をダウンロードする場合を説明する。なおこの動画データ６２は、ダウンロード用チケット８０ＢにＱＲコード（登録商標）の形態で印刷された図６のアドレス情報７１（「ｈｔｔｐｓ：／／ＡＡＡ・・・」）によって指定されるダウンロードサイト８にアップロードされているものとする。また、動画データ６２だけでなく、動画データ６２から切り出された複数の静止画データ６３（６３−１、６３−２、６３−３）がダウンロードサイト８にアップロードされていてもよい。ダウンロードサイト８は認証が必要なＷｅｂサイトであり、サンプル写真８０Ａに印刷されたパスコード７２によって認証を行うものとする。
【００６１】
まず、購入者は、ダウンロード用チケット８０Ｂのアドレス情報７１（ＱＲコード（登録商標））をユーザ端末７に読み取らせて（ステップＳ４２）、ダウンロードサイト８へアクセスする（ステップＳ４２）。ダウンロードサイト８へアクセスすると、ユーザ端末７にパスコード入力画面（不図示）が表示され、購入者は、パスコードを入力する。ダウンロードサイト８においてパスコードが正しく認証されると、ユーザ端末７にダウンロード画面（不図示）が表示され、動画データ６２をダウンロードして閲覧することが可能となる。
【００６２】
また、ダウンロードサイト８に動画データ６２だけでなく、静止画データ６３もアップロードされている場合には、購入者は、静止画データ６３をダウンロードすることもできる。この静止画データ６３はサンプル写真８０Ａのように縮小処理が施されてはいないため、高画質な画像として閲覧することができる。また、ダウンロードサイト８には、動画から切り出された全ての静止画データ６３（６３−１、６３−２、６３−３）がアップロードされているので、サンプル写真８０Ａとは別のタイミングの静止画データ６３をダウンロードして閲覧することも可能となる。
【００６３】
以上、本発明の第１の実施形態について説明した。本実施の形態によれば、画像選択装置３が、遊園地などのアトラクション（ジェットコースター）を体験中の来場者（被写体）を撮影した動画から切り出された複数のタイミングにおける静止画を取得し、静止画ごとに、静止画に映る人物の笑顔度を評価し、笑顔度が高い静止画を販促用の画像として選択する。これにより、アトラクションなどで撮影された動画を販売するサービスにおいて、動画の販促用の静止画（写真）を好適に選択することが可能となる。
【００６４】
また、選択された静止画はプリンタ４により印刷され、サンプル写真８０Ａとしてアトクラションを体験した来場者に無償提供されるので、記念や思い出として残すことができる。特に、被写体の写りの状態が良いタイミングの写真がサンプル写真８０Ａとして提供されるので、サンプル写真８０Ａを見た来場者等の動画への購入意欲が高まることが期待される。
【００６５】
［第２の実施形態］
次に、本発明の第２の実施形態について説明する。第２の実施形態は、画像選択装置の構成が異なる。その他の構成は、第１の実施形態と同様である。
図１２は、第２の実施形態における画像選択装置３Ａのハードウェア構成である。第１の実施形態と異なり、表示部３４を備える。表示部３４は、例えば、表示画面上で入力操作が可能なタッチパネルディスプレイである。
【００６６】
第２の実施形態では、画像選択装置３Ａは、例えばアトクラションの出口付近に設置され、表示部３４に動画から切り出された全ての静止画を表示し、アトラクションを終えた来場者から静止画の選択を受け付ける。そして、来場者が自ら選択した画像がサンプル写真８０Ａに印刷される。
【００６７】
図１３は、画像選択装置３Ａが動画の販促用として無償提供する画像（静止画）を選択する処理（画像選択処理）である。
第１の実施形態と同様に、画像選択装置３Ａは、カメラ２による撮影が終了すると、当該撮影ＩＤ６１に紐づく全ての静止画データ６３をストレージ１００から取得する（ステップＳ５１）。ここでは、図５のストレージ１００（画像データ６０）から撮影ＩＤ６１「１」に紐づく３枚の静止画データ６３（６３−１、６３−２、６３−３）が取得されたものとする。
【００６８】
続いて、画像選択装置３Ａは、取得した静止画データ６３（６３−１、６３−２、６３−３）を表示部３４に一覧表示し、アトラクションを終えた来場者から画像の選択を受け付ける（ステップＳ５２）。
図１４は、画像の選択を受け付ける表示部３４の画面例を示す図である。図に示すように、表示部３６に３枚の静止画データ６３（６３−１、６３−２、６３−３）が一覧表示され、来場者は自身の好きな画像を選択することができる。図の例では、来場者が静止画データ６３−１の画像を選択した場合を示している。
【００６９】
そして、画像選択装置３Ａは、選択した静止画データ６３をストレージ１００（画像データ６０）の代表静止画データ６４（図５参照）に記録して処理を終了する。その他の処理（撮影処理（図７）、プリント処理（図１０）、ダウンロード処理（図１１））については、第１の実施形態と同様であるので記載を省略する。
【００７０】
以上、第２の実施形態における画像選択処理について説明した。第２の実施形態によれば、画像選択装置３Ａが、遊園地などのアトラクション（ジェットコースター）を体験中の来場者（被写体）を撮影した動画から切り出された複数のタイミングにおける静止画を表示部に表示し、アトクラションを終えた来場者から静止画の選択を受け付け、選択された静止画を動画販促用の画像として決定する。これにより、アトラクションなどで撮影された動画を販売するサービスにおいて、動画の販促用の静止画（写真）を好適に選択することが可能となる。特に、第２の実施形態では、来場者が自ら好きなタイミングの静止画を選択でき、サンプル写真８０Ａとして無償でもらうことができるので、来場者の満足度を高めることができる。これに伴い、動画購入への意欲が高まることが期待される。
【００７１】
以上、添付図面を参照しながら、本発明に係る好適な実施形態について説明したが、本発明はかかる例に限定されない。
【００７２】
例えば、本実施の形態では、遊園地などに設置されたジェットコースターを体験した来場者を撮影した動画を販売する動画撮影販売サービスにおいて、本発明を適用した例について説明したが、お化け屋敷、観覧車、メリーゴーランドなどの他のアトクラションを体験する様子を撮影した動画を販売する動画撮影販売サービスにおいて、本発明を適用することもできる。また、キャラクターとのツーショット動画撮影販売サービス、観光スポットでの動画撮影販売サービス、結婚記念の動画撮影販売サービス、学校の卒業記念の動画撮影販売サービスなど、様々な場面で本発明を適用することができる。
【００７３】
また、本実施の形態では、カメラ２が動画を撮影と静止画の切り出しを同時に行う例を説明したが（図６参照）、静止画の切り出しは、動画の撮影の終了後に行ってもよい。また、本実施の形態では、カメラ２が静止画を切り出して出力する例を説明したが、静止画を切り出す主体はカメラ２でなくてもよい。例えば、カメラ２は動画だけを撮影してストレージ１００に保存し、画像選択装置３がストレージ１００に保存された動画を取得し、この動画から複数の静止画を切り出してもよい。
【００７４】
また、本実施の形態では、ジェットコースターの車両の通過を検知するセンサ２０の信号をトリガとして、カメラ２の撮影を開始する例を説明したが、撮影の開始のタイミングはこの例に限定されない。例えば、カメラ２の撮影ポタンを手動で押下することで撮影を開始してもよいし、画像認識技術によりジェットコースターがカメラ２の撮影視野内に入ったこと検知したタイミングで撮影を開始してもよいし、音センサにより所定の音量レベルを超えるとジェットコースターが撮影ポイントに近づいてきたものと判断し、撮影を開始してもよい。
【００７５】
また、本実施の形態では、画像選択処理（図９）において、被写体の笑顔度を評価しているが、どのような基準により被写体を評価するかは任意である。例えば、公知の顔画像認識技術により、画像内に映る各被写体の黒目を検出し、黒目の検出数によって、被写体の目の開閉度を評価するようにしてもよい。このように被写体を評価すれば、被写体がしっかりと目を開いているタイミングの写真が選ばれやすくなる。
【００７６】
また、公知の顔画像認識技術により各被写体の顔の向きを認識し、被写体が所定の方向を向いているかどうかを基準に評価してもよい。例えば、正面方向を向いている被写体の人数を評価値とすれば、被写体全員の顔が良く見えるタイミングの写真が選ばれやすくなる。
【００７７】
また、被写体を評価する基準は、動画撮影販売サービス特有のものでもよい。例えば、観光スポットでの動画撮影販売サービスにおいて、観光スポットで流行っている定番のポーズがあるとする。この場合、公知の画像認識技術により、被写体のポーズを認識し、予め決められたポーズ（観光スポットで流行っているポーズ）との類似度を評価し、類似度が最も高いタイミング（ポーズが上手く決まったタイミング）の写真を販促用として提供することができる。また、キャラクターとのツーショット動画撮影販売サービスにおいて、キャラクターの決めポーズがあるとする。この場合も、公知の画像認識技術により、被写体のポーズを認識し、予め決められたポーズ（キャラクターの決めポーズ）との類似度を評価し、類似度が最も高いタイミングの写真を販促用として提供することができる。
【００７８】
また、本実施の形態では、印刷物８０（紙媒体）による出力の例を説明したが、出力の形態は紙媒体に限定されない。例えば、プリンタ４が通信制御部を備え、アトラクションの来場者が保有するスマートフォンなどの情報端末との間で通信接続を行い、代表静止画データ６４とアドレス情報７１を情報端末にデータ出力するようにしてもよい。
【００７９】
また、本実施の形態では、プリンタ４は、サンプル写真８０Ａとダウンロード用チケット８０Ｂの双方を１つの印刷物８０で出力する例を説明したが、サンプル写真８０Ａとダウンロード用チケット８０Ｂは別々に出力してもよい。例えば、プリンタ４はサンプル写真８０Ａのみを出力するだけとし、別の場所に設置された発券装置によってダウンロード用チケット８０Ｂを出力するように構成してもよい。
【００８０】
また、本実施の形態では、販促用の写真をアトラクションの来場者に無償で提供する例を説明したが、販促用の写真を来場者に提示するだけ（見せるだけ）でもよい。この場合の販促用の写真は、無償提供用に画像サイズを落とした縮小写真ではなく、例えば２ＰＣなどのサイズで高画質プリントされた写真とするのが望ましい。このように販促用の写真を来場者に提示するだけでも十分な販促効果が期待できる。
【００８１】
その他、当業者であれば、本願で開示した技術的思想の範疇内において、各種の変更例又は修正例に想到し得ることは明らかであり、それらについても当然に本発明の技術的範囲に属するものと了解される。
【符号の説明】
【００８２】
１………動画提供システム
２………カメラ
３………画像選択装置
４………プリンタ
７………ユーザ端末
８………ダウンロードサイト
９………ジェットコースターの車両
１０………アトラクションの来場者（被写体）
３１………制御部
３２………記憶部
３３………通信制御部
３４………表示部
６０………画像データ
６１………撮影ＩＤ
６２………動画データ
６３………静止画データ
６４………代表静止画データ
７０………ダウンロード情報
７１………アドレス情報
７２………パスコード
８０………印刷物
８０Ａ………サンプル写真
８０Ｂ………ダウンロード用チケット
１００………ストレージ
【図１】
2019068173.tif 000003
【図２】
2019068173.tif 000004
【図３】
2019068173.tif 000005
【図４】
2019068173.tif 000006
【図５】
2019068173.tif 000007
【図６】
2019068173.tif 000008
【図７】
2019068173.tif 000009
【図８】
2019068173.tif 000010
【図９】
2019068173.tif 000011
【図１０】
2019068173.tif 000012
【図１１】
2019068173.tif 000013
【図１２】
2019068173.tif 000014
【図１３】
2019068173.tif 000015
【図１４】
2019068173.tif 000016